(57)【要約】【課題】バリカンにおいて、毛髪を所望の刈り高さに切断可能にする。【解決手段】バリカンは、それぞれ固定刃刃体１２ａ、可動刃刃体１３ａを多数並設してなる櫛状の固定刃１２及び可動刃１３を重ねて、可動刃１３を固定刃１２に対して可動刃刃体１３ａの並設方向に往復摺動して、固定刃刃体１２ａ間の刃溝に導入された毛髪を切断可能である。各固定刃刃体１２ａは、当該固定刃刃体１２ａの側面から側方に突出するリブ１２ｂを有している。固定刃刃体１２ａ間の刃溝に導入された毛髪は、リブ１２ｂに当接するため、毛髪と固定刃刃体１２ａとの間の接触面積は小さくなる。毛髪に作用するリブ１２ｂとの間の摩擦力は小さくなるので、刃溝に導入された毛髪は倒れにくくなり、毛髪を、所望の刈り高さ、すなわち可動刃１３と固定刃１２との摺接面から固定刃１２の下端部までの長さに切断することができる。【選択図】図５
2010115315.tif 000002
【特許請求の範囲】
【請求項１】
刃体を多数並設してなる櫛状の固定刃及び可動刃を重ねて、前記可動刃を前記固定刃に対して刃体の並設方向に往復摺動して毛髪を切断するバリカンにおいて、
前記固定刃の各刃体は、各刃体の側面から突出するリブを有することを特徴とするバリカン。
【請求項２】
前記リブは、前記固定刃の各刃体の刃先側から基端側に向けて延設されており、刃先側の先端部が各刃体の側面からテーパ状に立ち上がるように形成されていることを特徴とする請求項１に記載のバリカン。
【請求項３】
前記リブは、前記固定刃と可動刃との摺接面の一部を構成するように配置されていることを特徴とする請求項１又は請求項２に記載のバリカン。
【請求項４】
前記固定刃の各刃体は、前記固定刃と可動刃との摺接面の一部を構成するように配置されたリブ及びこのリブより下方に配置されたリブを含む複数のリブを各側面に有することを特徴とする請求項１又は請求項２に記載のバリカン。
【請求項５】
前記摺接面の一部を構成するように配置されたリブは、当該リブの突出端面と当該摺接面とで構成される角部が鋭角断面を有するように形成されていることを特徴とする請求項３又は請求項４に記載のバリカン。
【請求項６】
前記リブは、前記固定刃のうち、少なくとも前記可動刃が摺接しうる所定の摺接範囲の先端部近傍部位まで延設されていることを特徴とする請求項１又は請求項２に記載のバリカン。
【請求項７】
前記リブは、前記固定刃の各刃体の基端部近傍部位から刃先部近傍部位まで延設されていることを特徴とする請求項１又は請求項２に記載のバリカン。
【請求項８】
前記リブは、前記固定刃と可動刃との摺接面に平行な方向が長手方向になるように配置されていることを特徴とする請求項１又は請求項２に記載のバリカン。
【請求項９】
前記可動刃は、前記固定刃の基端側から刃先側に向けて、固定刃に対する刃先の位置を変更可能に構成されていることを特徴とする請求項１乃至請求項８のいずれか一項に記載のバリカン。
【発明の詳細な説明】
【技術分野】
【０００１】
本発明は、可動刃を固定刃に対して往復摺動させて毛髪を切断するバリカンに関する。
【背景技術】
【０００２】
従来より、刃体を多数並設してなる櫛状の固定刃及び可動刃を重ね、可動刃を固定刃に対して刃体の並設方向に往復摺動させて毛髪を切断するバリカンが知られている（例えば、特許文献１参照）。図１４（ａ）、（ｂ）は、このような従来のバリカンの刃ブロック８０を示す。刃ブロック８０は、複数の刃体８２ａを有する固定刃８２と、固定刃８２に摺接する複数の刃体８３ａを有する可動刃８３と、固定刃８２を保持する固定板８４と、可動刃８３を保持する案内板８５と、可動刃８３を固定刃８２に押し付けるための押付ばね８６等を備えている。可動刃８３は、案内板８５にバリカン本体（図示せず）のモータ等の駆動力が伝達されることにより、刃体８２ａ，８３ａの並設方向（図１４（ａ）の矢印Ｘで示す方向）に往復摺動する。バリカンは、毛髪を、固定刃８２の刃体８２ａ間の刃溝に導入し、固定刃８２と可動刃８３とではさみ、切断することができる。
【０００３】
なお、このバリカンは、刈り高さ調節機構を有している。図１５は、刃ブロック８０の先端部を示す。固定刃８２の各刃体８２ａは、刃先部（刃体の先端部）から基端部に近づくに従い、固定刃８２の可動刃８３との摺接面から下端部までの寸法（図１４（ｂ）に寸法線Ｄで示す）が次第に大きくなるように構成されている。また、可動刃８３は、基端側から刃先側すなわち刃体８２ａの突出方向へ向けて、固定刃８２に対する位置を変更可能に設けられており、固定刃８２の各刃体８２ａのうち、毛髪を切断する位置を変更可能に設けられている。
【０００４】
図１６は、従来のバリカンにより毛髪Ｈを切断するときの毛髪Ｈの状態を示す。固定刃８２の下端部が毛髪Ｈが生えている表皮Ｇに沿うようにして、バリカン本体を前方（図の矢印Ｆ方向）に移動させると、毛髪Ｈは、固定刃８２の刃体８２ａ間の刃溝に導入される。そして、刃体８２ａ間に導入された毛髪Ｈが可動刃８３の各刃体８３ａの刃先部に到達すると、毛髪Ｈが固定刃８２と可動刃８３にはさまれ、切断される。このとき、切断後の毛髪Ｈの表皮Ｇからの長さ（刈り高さ）は、固定刃８２の下端部からの可動刃８３の刃先部近傍部までの高さと略同じになる。換言すると、ユーザは、可動刃８３の固定刃８２に対する位置を変更することにより、刈り高さを調整することが可能である。
【特許文献１】特開２００８−８０１１１号公報
【発明の開示】
【発明が解決しようとする課題】
【０００５】
ところで、従来のバリカンでは、固定刃８２の刃溝に導入された毛髪Ｈは、可動刃８３の刃先部に到達する前に、固定刃８２の各刃体８２ａの側面に接触する。このように刃体８２ａの側面に接触した毛髪Ｈは、時折、図に示すように、固定刃８２との間の摩擦力によって、固定刃８２の進行方向に倒される。このように毛髪Ｈが倒された状態で切断されると、切断後の毛髪Ｈの刈り高さが、固定刃８２の下端部から可動刃８３の刃先部近傍部までの高さ、すなわちユーザの所望の刈り高さよりも長くなるため、毛髪Ｈの長さが不揃いとなる。この問題は、上述のような刈り高さ調整機構を有し固定刃８２の長さが比較的長いバリカンでは、可動刃８３の刃先部と固定刃８２の刃先部との距離が長くなり、毛髪Ｈが倒れる量が増加するため、より顕著になる。なお、上記問題は、可動刃８２が基端側から刃先側に変位しないようなバリカンにおいても発生しうる。
【０００６】
本発明は、上記問題点を鑑みてなされたものであり、固定刃との間の摩擦力を小さくして毛髪を倒れにくくすることができ、所望の刈り高さに毛髪を切断することが可能なバリカンを提供することを目的とする。
【課題を解決するための手段】
【０００７】
上記目的を達成するため、請求項１の発明は、刃体を多数並設してなる櫛状の固定刃及び可動刃を重ねて、前記可動刃を前記固定刃に対して刃体の並設方向に往復摺動して毛髪を切断するバリカンにおいて、前記固定刃の各刃体は、各刃体の側面から突出するリブを有するものである。
【０００８】
請求項２の発明は、請求項１の発明において、前記リブは、前記固定刃の各刃体の刃先側から基端側に向けて延設されており、刃先側の先端部が各刃体の側面からテーパ状に立ち上がるように形成されているものである。
【０００９】
請求項３の発明は、請求項１又は請求項２の発明において、前記リブは、前記固定刃と可動刃との摺接面の一部を構成するように配置されているものである。
【００１０】
請求項４の発明は、請求項１又は請求項２の発明において、前記固定刃の各刃体は、前記固定刃と可動刃との摺接面の一部を構成するように配置されたリブ及びこのリブより下方に配置されたリブを含む複数のリブを各側面に有するものである。
【００１１】
請求項５の発明は、請求項３又は請求項４の発明において、前記摺接面の一部を構成するように配置されたリブは、当該リブの突出端面と当該摺接面とで構成される角部が鋭角断面を有するように形成されているものである。
【００１２】
請求項６の発明は、請求項１又は請求項２の発明において、前記リブは、前記固定刃のうち、少なくとも前記可動刃が摺接しうる所定の摺接範囲の先端部近傍部位まで延設されているものである。
【００１３】
請求項７の発明は、請求項１又は請求項２の発明において、前記リブは、前記固定刃の各刃体の基端部近傍部位から刃先部近傍部位まで延設されているものである。
【００１４】
請求項８の発明は、請求項１又は請求項２の発明において、前記リブは、前記固定刃と可動刃との摺接面に平行な方向が長手方向になるように配置されているものである。
【００１５】
請求項９の発明は、請求項１乃至請求項８のいずれか一項の発明において、前記可動刃は、前記固定刃の基端側から刃先側に向けて、固定刃に対する刃先の位置を変更可能に構成されているものである。
【発明の効果】
【００１６】
請求項１の発明によれば、固定刃の各刃体間の刃溝に導入された毛髪は、リブに接触しながら可動刃が設けられている基端部に向けて送られる。毛髪はリブに略線接触し、互いの接触面積は小さくなり、毛髪に作用するリブとの間の摩擦力は小さくなるので、毛髪は倒れることなく可動刃の刃先に到達する。従って、毛髪を所望の刈り高さに切断することができる。
【００１７】
請求項２の発明によれば、固定刃の刃溝に導入された毛髪は、テーパ状の立ち上がり部に接触しながらリブに接触する。従って、毛髪の刃溝への導入がリブにより妨げられることがなくなり、毛髪を、刃溝にスムーズに導入して切断することができる。
【００１８】
請求項３の発明によれば、リブを可動刃との挟み切りの切れ刃として機能させ、リブと可動刃との間で毛髪を切断するので、毛髪の切断部位の近傍をリブにより支持しながら、毛髪を確実に切断することができる。
【００１９】
請求項４の発明によれば、毛髪を複数のリブで支持しながら、リブと可動刃との間で毛髪を切断するので、毛髪の位置を安定させて支持することができ、毛髪をより確実に切断することができる。
【００２０】
請求項５の発明によれば、固定刃と可動刃の間における挟み切り時の切断抵抗が小さくなるので、可動刃の駆動時の負荷を小さくすることができ、より優れた切れ味を得ることができる。
【００２１】
請求項６の発明によれば、可動刃の所定の摺接範囲の略全域において、毛髪に作用する固定刃との間の摩擦力を小さくすることができるので、より確実に、毛髪を倒れないようにして支持し、所望の刈り高さに切断することができる。
【００２２】
請求項７の発明によれば、毛髪を固定刃の各刃体間の刃溝に導入するとき、常に、毛髪をリブとの間で線接触させ、毛髪に作用する摩擦力を小さくしつつ毛髪を支持することができるので、固定刃の刃溝での毛髪の導入抵抗をさらに低減させ、確実に所望の刈り高さに切断することができる。
【００２３】
請求項８の発明によれば、可動刃とリブによる毛髪の支持部位との可動刃の摺接面に垂直な方向の位置関係を一定に保つことができるので、毛髪の挟み切り時にリブにより毛髪をより安定して支持することができ、さらに安定した切れ味を得ることができる。
【００２４】
請求項９の発明によれば、各刃体の長さが長い固定刃において、毛髪に対し作用する固定刃との間の摩擦力を低減することができ、より効果的に毛髪を所望の刈り高さに切断可能にすることができる。
【発明を実施するための最良の形態】
【００２５】
以下、本発明の第１実施形態に係るバリカンの構成について、図面を参照して説明する。図１（ａ）、（ｂ）、（ｃ）は、本実施形態に係るバリカン１の一例を示す。このバリカン１は、把持部を兼ねた細長形状の本体部２の長手方向先端部（図１（ａ）では上端）に、固定刃１２と可動刃１３等を有する刃ブロック１０を装着して構成されている。バリカン１は、動作時に、本体部２内に配してあるモータ６を駆動源として、刃ブロック１０の可動刃１３を、固定刃１２に対して本体部２の短手方向（図１（ｂ）では左右方向）に往復摺動させる。このとき、固定刃１２の先端の刃溝内に毛髪が導入されると、その毛髪を固定刃１２と可動刃１３との間で挟み込み、切断する（挟み切り）。
【００２６】
先ず、本体部２の構成について説明する。図１（ａ）に示すように、本体部２は、片手で把持し得る側面視略Ｓ字状の外殻を成す本体ハウジング３により覆われている。図１（ｂ）に示すように、本体ハウジング３には、操作スイッチ４ａと、刈り高さ調整用のダイヤル４ｂとが、本体ハウジング３の外部に露出しユーザにより操作可能に設けられている。刈り高さ調整用のダイヤル４ｂは、回動自在に配設されている。図１（ｃ）に示すように、本体ハウジング３の内部には、充電池５と、充電池５により電力を供給されて往復駆動されるモータ６と、モータ６の駆動力を図中上端側に伝達する動力伝達機構６ａと、動力伝達機構６ａにより往復駆動される出力軸６ｂと、操作スイッチ４ａの押込み操作に応じたモータ６への電力供給等を制御する制御部７と、ダイヤル４ｂに連動する伝達機構８等が収納されている。出力軸６ｂは、後述するように刃ブロック１０に設けられている案内板１５と連動するように、本体ハウジング３の先端部（図中上方）から突出するように配設されている。伝達機構８は、後述するように刃ブロック１０に設けられている切替レバー１７を起倒操作するように、ダイヤル４ｂの正逆回転に連動して本体ハウジング３の前後方向（図中上下方向）に変位可能に配設されている。
【００２７】
次に、刃ブロック１０の構成について説明する。図２乃至図４は、刃ブロック１０を示す。刃ブロック１０は、刃体（以下、固定刃刃体と称する）１２ａを多数並設して成る櫛状の固定刃１２と、固定刃１２に摺接する刃体（以下、可動刃刃体と称する）１３ａを多数並設して成る櫛状の可動刃１３を有している。また、刃ブロック１０は、固定刃１２を保持する固定板１４及び可動刃１３を保持する案内板１５と、可動刃１３を固定刃１２に押し付けるための押付ばね１６と、押付ばね１６を保持する切替レバー１７等を有している。刃ブロック１０は、固定板１４が本体部２に保持されて本体部２に取り付けられている。なお、図２及び図４（ａ）において、矢印Ｘは、固定刃刃体１２ａ及び可動刃刃体１３ａの並設方向、すなわちバリカン１の駆動時における可動刃１３が往復移動する方向を示す。また、図２及び図４（ｂ）において、矢印Ｙは、後述の刈り高さ調整機能による可動刃１３の変位方向を示す。
【００２８】
図３に示すように、固定刃１２の先端部には、上面両側部が切れ刃となる先細状の固定刃刃体１２ａが、多数、所定の間隔で並設されている。また、可動刃１３の先端部には、下面両側部が切れ刃となる多数の可動刃刃体１３ａが、固定刃刃体１２ａの並設間隔とは異なる所定の間隔で並設されている。固定板１４は、固定刃１２に係合させるためのフック１４ａを有しており、該フック１４ａにより固定刃１２を固定する。また、固定板１４は、切替レバー１７を支持するための半円溝部１４ｂと、押付ばね１６の一部を支持するためのばね受け部１４ｃを有している。案内板１５は、本体部２側の出力軸６ｂの先端部を挟むように形成された挟持部１５ａと、可動刃１３に係合させるためのフック１５ｂを有している。案内板１５は、例えば、フック１５ｂが可動刃１３に係合するようにして、ヒートシール（図示せず）等を介して固定することにより該可動刃１３を保持している。
【００２９】
押付ばね１６は、例えば、ダブルトーション形のねじりコイルばねであり、略同軸に並ぶ２つのコイル１６ａが、切替レバー１７に嵌合支持されて配置されている。押付ばね１６は、比較的長い両端の腕部１６ｂそれぞれが案内板１５及び可動刃１３に接続され、中央部の腕部１６ｃが固定板１４のばね受け部１４ｃに支持されて配置されている。押付ばね１６は、押付ばね１６の復元力により案内板１５及び可動刃１３を固定刃１２に向けて押し付けるように弾性変形状態で配置されている。モータ６が駆動されると、出力軸６ｂの往復駆動の駆動力が挟持部１５ａを介して案内板１５に伝達される。これにより、可動刃１３は、案内板１５と共に、押付ばね１６により固定刃１２の摺動面に押し付けられた状態で、押付ばね１６の両端の腕部１６ｂをコイル１６ａに対し変位させながら、固定刃１２に対し往復摺動する。押付ばね１６の付勢力により、毛髪切断時に可動刃１３に対して力が加わっても、可動刃１３が固定刃１２から浮き上がることがなく、安定して毛髪を切断することができる。
【００３０】
切替レバー１７は、下部両側端に形成された略円柱形状の回動軸１７ａと、両側部から上方に突出し本体部２の伝達機構８に当接するように形成された突起部１７ｂを有している。切替レバー１７は、回動軸１７ａが固定板１４の半円溝部１４ｂに支えられ、回動軸１７ａを中心に回動し、固定板１４に対して起倒可能に配されている。切替レバー１７には、押付ばね１６のコイル１６ａが嵌合されており、切替レバー１７は、押付ばね１６により、固定板１４に対する姿勢が倒伏姿勢になるような向きに付勢されている。押付ばね１６の付勢力に抗して、切替レバー１７を起立姿勢側に回動操作すると、可動刃１３が固定刃１２に押圧されたまま、可動刃１３及び案内板１５が、固定刃刃体１２ａや可動刃刃体１３ａの突出方向（矢印Ｙ方向）に向けてスライドする。なお、図４（ａ）は、切替レバー１７が倒伏姿勢であるときの固定刃１２に対する可動刃１３の位置を示し、図４（ｂ）は、切替レバー１７が起立姿勢であるときの固定刃１２に対する可動刃１３の位置を示す。
【００３１】
切替レバー１７の起倒操作は、ダイヤル４ｂを回転させ、伝達機構８の位置を変更することにより行うことができる。すなわち、ダイヤル４ｂの回転位置を所定の正方向に移動させると、伝達機構８により突起部１７ｂが固定刃刃体１２ａの突出方向に押し込まれ、切替レバー１７が起立姿勢に向けて回動する。これにより、図４（ｂ）に示すように、可動刃１３は、その可動刃刃体１３ａの刃先部が固定刃刃体１２ａの刃先部に接近するようにスライドする。また、ダイヤル４ｂの回転位置を上記正方向に対し逆方向に移動させると、伝達機構８による突起部１７ｂの押し込み量が少なくなるため、切替レバー１７は押付ばね１６の付勢力により倒伏姿勢に向けて回動する。これにより、可動刃１３は、その可動刃刃体１３ａの刃先部が固定刃刃体１２ａの刃先部から離れる方向にスライドする。ダイヤル４ｂ及び伝達機構８は、伝達機構８の位置を複数段変更可能に構成されおり、固定刃１２に対する可動刃１３の位置は、固定刃刃体１２ａや可動刃刃体１３ａの突出方向に複数段設定された所定の位置に変更可能である。固定刃刃体１２ａは、刃先部から基端部に近づくに従い、肉厚すなわち固定刃１２の可動刃１３との摺接面から下端部までの寸法が次第に大きくなるような側面視尖鋭形状に形成されている。従って、固定刃１２に対する可動刃１３の位置を変更することにより、毛髪の刈り高さを調整可能である。
【００３２】
ここで、固定刃１２の固定刃刃体１２ａ及び可動刃１３の可動刃刃体１３ａについて、図５乃至図７を参照して詳細に説明する。図５（ｂ）に示すように、各固定刃刃体１２ａは、図に示すように、刃先側から基端側に見て、可動刃１３との摺接面から下端部に向けて徐々に幅が狭くなるテーパ形状に形成されている。本実施形態において、各固定刃刃体１２ａには、側面から側方に突出するリブ１２ｂが形成されている。リブ１２ｂは、固定刃１２と可動刃１３との摺接面の一部を構成するように形成されており、固定刃刃体１２ａの切れ刃となる。リブ１２ｂの詳細形状については、後述する。図６（ａ）に示すように、固定刃刃体１２ａは、基端側から刃先側に向けて、上面視で次第に幅寸法が狭くなるように、先細形状に形成されている。固定刃刃体１２ａは、隣り合う固定刃刃体１２ａとの間の刃溝に、毛髪を導入可能に構成されている。固定刃刃体１２ａが先細形状であるので、毛髪の導入が固定刃刃体１２ａにより妨げられることがなくなり、毛髪をスムーズに刃溝に導入することができる。
【００３３】
一方、各可動刃刃体１３ａは、下方両側部に各可動刃刃体１３ａの突出方向の略全長にわたってくさび状に突出するように形成された切刃部１３ｂと、両側部に切刃部１３ｂ上部から立ち上がるように形成された立ち上げ面１３ｃとを有している。可動刃刃体１３ａは、固定刃刃体１２ａ間の刃溝に導入された毛髪を、可動刃刃体１３ａ間の刃溝に導入し、可動刃刃体１３ａと固定刃刃体１２ａとではさみ、切断する。切刃部１３ｂは、図に示すように、固定刃１２との摺接面となる下端部から上方に行くにつれ各可動刃刃体１３ａの側面からの突出量が小さくなるように、すくい角βが鋭角になるように形成されている。これにより、上記のように毛髪を固定刃刃体１２ａと可動刃刃体１３ａとで挟み切りするときに、可動刃刃体１３ａに加わる切断抵抗力が小さくなるため、よりスムーズに毛髪を切断することができる。また、可動刃刃体１３ａには、立ち上げ面１３ｃが設けられているので、切断された毛髪が、立ち上げ面１３ｃに当たることにより散乱しにくくなる。
【００３４】
本実施形態において、リブ１２ｂは、可動刃１３との摺接面から下方に所定の幅で、各固定刃刃体１２ａの刃先側（先端部側）から基端側に向けて延設されている。すなわち、各リブ１２ｂは、一面が可動刃１３との摺接面となるように、摺接面に平行な方向が長手方向になるように配置されている。図に示すように、リブ１２ｂは、可動刃１３との摺接面と当該リブ１２ｂの突出端面とで構成される角部が、断面視で鋭角となるすくい角γを有する鋭角断面を有するように形成されている。これにより、上述のように切刃部１３ｂが鋭角のすくい角βを有しているのと同様に、固定刃１２と可動刃１３の間における挟み切り時の切断抵抗が小さくなるので、可動刃１３の駆動時の負荷をさらに小さくすることができ、より優れた切味を得ることができる。また、図６（ｂ）に示すように、リブ１２ｂは、固定刃刃体１２ａの刃先側の先端部が、各固定刃刃体１２ａの側面からテーパ状に立ち上がり、当該固定刃刃体１２ａの基端部に近づくにつれて、固定刃刃体１２ａの側面からの突出量が次第に増えるように形成されている。リブ１２ｂは、図７（ａ）に示すように、固定刃刃体１２ａの刃先部から基端部まで形成されており、図７（ｂ）に示すように、可動刃１３が固定刃１２の刃先部に近づくように変位しても、その可動刃１３の刃先部に摺接するように形成されている。すなわち、リブ１２ｂは、固定刃１２のうち、ダイヤル４ｂの操作により変位する可動刃１３が摺接しうる所定の摺接範囲の全域にわたって形成されている。
【００３５】
図８は、バリカン１により毛髪Ｈを切断するときの毛髪Ｈの状態を示す。バリカン１は、固定刃１２の下端部が毛髪Ｈが生えている表皮Ｇに沿うようにして、バリカン１を前方（図の矢印Ｆ方向）に移動させて用いられる。本実施形態において、毛髪Ｈは、固定刃刃体１２ａ間の刃溝に導入されると、バリカン１の移動に伴い、リブ１２ｂに接触しながら可動刃１３が位置する基端側に向けて送られる。このとき、毛髪Ｈは、リブ１２ｂに略線接触するため、互いの接触面積は小さくなり、毛髪Ｈに作用するリブ１２ｂとの間の摩擦力は小さくなる。従って、従来のバリカンを用いた場合と比較して、毛髪Ｈが倒れることなく可動刃１３の刃先部に到達するので、毛髪Ｈを、所望の刈り高さ、すなわち固定刃１２の下端部からの可動刃１３の刃先部近傍部までの高さに切断することができる。また、このとき、リブ１２ｂによる毛髪Ｈの接触位置と可動刃１３との摺接面に垂直な方向の位置関係を一定に保つことができるので、毛髪Ｈの挟み切り時にリブ１２ｂにより毛髪Ｈをより安定して支持することができ、さらに安定した切れ味を得ることができる。
【００３６】
また、リブ１２ｂは、可動刃１３の所定の摺接範囲の略全域に形成されているので、より確実に、毛髪Ｈを倒れないようにして支持し、所望の刈り高さに切断することができる。さらに、刃溝に導入された毛髪Ｈは、常に、リブ１２ｂとの間で線接触するので、毛髪Ｈの刃溝への導入抵抗をより低減させることができる。
【００３７】
さらに、固定刃刃体１２ａ間の刃溝に導入された毛髪Ｈは、固定刃刃体１２ａの側面からテーパ状に立ち上がる先端部からリブ１２ｂに接触する。従って、毛髪Ｈの刃溝への導入がリブ１２ｂにより妨げられることがなくなり、毛髪Ｈを、よりスムーズに刃溝に導入することができる。また、バリカン１において、リブ１２ｂを可動刃１３との挟み切りの切れ刃として機能させるので、毛髪Ｈの切断部位の近傍をリブ１２ｂにより支持した状態で、毛髪Ｈの切断をより確実に行うことができる。
【００３８】
なお、リブは、上述のような断面形状を有するものに限られない。図９は、第１実施形態の一変形例に係るリブ１１２ｂを有する固定刃刃体１１２ａの一例を示す。固定刃刃体１１２ａのリブ１１２ｂは、上述のリブ１２ｂと同様に、可動刃１３との摺接面の一部を構成するように配置されており、固定刃刃体１１２ａの側面からの突出部位が略三角形状の断面を有している。すなわち、図に示すように、リブ１１２ｂの突出端面と可動刃１３との摺接面とで構成される角部は、すくい角γが鋭角となる鋭角断面を有するように形成されている。このように、固定刃刃体１１２ａから略三角形状に突出するリブ１１２ｂを設けることにより、上述と同様に、毛髪Ｈを、倒れにくく支持して、所望の刈り高さに、スムーズに切断することが可能になる。
【００３９】
また、図１０（ａ）、（ｂ）、（ｃ）は、それぞれ第１実施形態の一変形例に係る固定刃刃体２１２ａ，３１２ａ，４１２ａの一例を示す。図１０（ａ）に示すように、固定刃刃体２１２ａの両側面には、固定刃刃体２１２ａの刃先部から基端側に向けテーパ状に立ち上がり、固定刃刃体２１２ａの側面から略均一な突出高さで基端部まで突出するように形成されたリブ２１２ｂが形成されている。このように、リブ２１２ｂを、刃先側の一部のみが固定刃刃体２１２ａの側面からテーパ状に立ち上がるように形成しても、上述と同様に、毛髪Ｈをスムーズに固定刃刃体２１２ａ間の刃溝に導入することができる。また、図１０（ｂ）に示すように、固定刃刃体３１２ａは、両側面に、固定刃刃体３１２ａの刃先部から基端部寄りに離れた位置から、基端側に向けてテーパ状に立ち上がり、固定刃刃体３１２ａの側面から略均一な突出高さで基端部まで突出するように形成されたリブ３１２ｂを有している。このように、固定刃刃体３１２ａの突出方向の全域にわたって形成されていないリブ３１２ｂを設けることによっても、リブ３１２ｂに接触する毛髪Ｈに加わる摩擦力を低減することができる。さらに、図１０（ｃ）に示すように、固定刃刃体４１２ａは、刃先側から基端側に向けて立ち上がるように設けられ、角部及び隅部に丸みを有するテーパ状の部位が設けられたリブ４１２ｂを両側面に有している。このような丸みを有するリブ４１２ｂを設けることにより、さらにスムーズに毛髪Ｈを固定刃刃体４１２ａ間の刃溝に導入することができる。なお、リブ４１２ｂは、固定刃刃体４１２ａの突出方向の全域にわたって形成されていないが、少なくとも可動刃１３が摺接する所定の摺接範囲の先端部近傍部位まで延設されている。すなわち、図に示すように、リブ４１２ｂは、刈り高さ調整機能による可動刃刃体１３ａのスライド範囲（図に寸法線Ｓで示す）の先端部近傍部位から基端側に向けて、固定刃刃体４１２ａに設けられている。これにより、毛髪Ｈを切断する際に、常に、毛髪Ｈに作用する摩擦力を低減させることができ、毛髪Ｈを確実に所望の刈り高さに切断することができる。
【００４０】
次に、本発明の第２実施形態に係るバリカンの構成について図１１及び図１２を参照して説明する。以下の説明において、上述の第１実施形態と同様に構成されている部位には同一の符号を付し、第１実施形態と相違する部分についてのみ説明する。第２実施形態において、刃ブロック２０の固定刃２２の構成が上述の第１実施形態と異なり、バリカンの本体部２や刃ブロック２０のその他の部分は、上述のバリカン１と同様に構成されているため、バリカン全体の図示は省略する。図１１は、刃ブロック２０の固定刃２２及び可動刃１３を示し、上述の図５（ｂ）に対応する。また、図１２は、刃ブロック２０を示し、上述の図７（ａ）に対応する。
【００４１】
第２実施形態において、固定刃２２の固定刃刃体２２ａには、それぞれ、第１リブ２２ｂと第２リブ２２ｃとが設けられている。これら２つのリブ２２ｂ，２２ｃは、各固定刃刃体２２ａの両側面から突出するように形成されている。図１１に示すように、第１リブ２２ｂは、上述の第１実施形態のリブ１２ｂと同様に、一側面が可動刃１３に摺接する摺接面の一部を構成するように配置されている。他方、第２リブ２２ｃは、第１リブ２２ｂよりも下方に配置されている。第１リブ２２ｂは、図１１に示すように、上述のリブ１２ｂと同様に、可動刃１３との摺接面と当該第１リブ２２ｂの突出端面とで構成される角部が、すくい角γが鋭角となる鋭角断面を有するように形成されている。これにより、固定刃２２と可動刃１３とで毛髪を挟み切りする際、可動刃１３に加わる切断抵抗が小さくなるため、スムーズに毛髪の切断を行うことができる。また、各固定刃刃体２２ａの同一側面に形成された第１リブ２２ｂの突出端面と第２リブ２２ｃの突出端面とは、互いに略同一面上に位置している。図１２に示すように、２つのリブ２２ｂ，２２ｃは、共に、固定刃刃体２２ａの刃先部から基端部まで、固定刃２２と可動刃１３との摺接面に平行な方向が長手方向になるように形成されている。これにより、固定刃刃体２２ａ間の刃溝に導入された毛髪は、常にリブ２２ｂ，２２ｃに接触する。
【００４２】
このように、第２実施形態によれば、毛髪を２つのリブ２２ｂ，２２ｃで支持しながら、第１リブ２２ｂと可動刃刃体１３ａとの間で毛髪を切断するので、毛髪が摩擦力により倒れ込まないようにしつつ、毛髪の位置を安定させて支持することができる。特に、固定刃刃体２２ａの同一側面に形成された２つのリブ２２ｂ，２２ｃの突出端面が略同一平面上に位置するので、より毛髪を安定支持することができ、毛髪をより確実に切断することができる。また、刃溝に導入された毛髪は、常にリブ２２ｂ，２２ｃに接触するので、毛髪を、より確実に、摩擦力により倒れ込まないように保つことができる。さらに、２つのリブ２２ｂ，２２ｃは、固定刃２２と可動刃１３との摺接面に平行な方向が長手方向になるように形成されているので、毛髪のうちリブ２２ｂ，２２ｃとの間の摩擦力が作用する位置と可動刃１３との間の摺接面に垂直な方向の距離が変化しない。従って、固定刃刃体２２ａ間の刃溝に導入された毛髪をより安定支持した状態で切断することができる。
【００４３】
なお、固定刃刃体２２ａは、第１リブ２２ｂ、第２リブ２２ｃに加えて、さらに第１リブ２２ｂの下方に配置された別のリブを有していてもよい。このように３つ以上のリブ２２ｂ，２２ｃ，…を設けた場合であっても、従来と比較して毛髪に加わる摩擦力を小さくしつつ、毛髪を安定支持して確実に切断可能にすることができる。
【００４４】
また、第２実施形態において、２つのリブの刃先側の先端部は、固定刃１２の刃先部に位置していなくてもよい。図１３（ａ）、（ｂ）は、２つのリブ１２２ｂ，１２２ｃが両側面に形成されている固定刃刃体１２２ａが並設されてなる固定刃１２２の一例を示す。２つのリブ１２２ｂ，１２２ｃは、図１３（ａ）に示すように、各固定刃刃体１２２ａの刃先部から基端部寄りに離れた位置から基端側に向けて、当該固定刃刃体１２２ａの側面からテーパ状に立ち上がり、当該固定刃刃体１２２ａの側面から突出するように基端部まで形成されている。図１３（ｂ）に示すように、各リブ１２２ｂ，１２２ｃの刃先側の先端部は、固定刃刃体１２２ａの突出方向（図の矢印Ｙ方向）にスライドする可動刃１３が摺接しうる摺接範囲の先端部よりも刃先寄りに位置している。従って、毛髪は、常に、リブ１２２ｂ，１２２ｃに支持された状態で、固定刃１２及び可動刃１３により、確実に切断される。
【００４５】
なお、本発明は上記実施形態の構成に限定されるものではなく、発明の趣旨を変更しない範囲で適宜に種々の変形が可能である。例えば、バリカンは、刈り高さ調整機能を有さず、可動刃の固定刃に対する固定刃刃体の突出方向の位置が略固定されているようなものであってもよい。すなわち、このような比較的固定刃刃体の突出方向の長さが短いようなバリカンにあっても、各固定刃刃体の側面にリブを設けることにより、固定刃刃体間の刃溝に導入された毛髪Ｈの倒れを防止して、所望の刈り高さに毛髪Ｈを切断することができる。また、リブは、各固定刃刃体の側面のうち、可動刃１３との摺接面を構成しないように配置されていてもよい。この場合であっても、固定刃刃体間の刃溝に導入された毛髪Ｈがリブに当接することにより、毛髪Ｈに加わる摩擦力を低減させて毛髪Ｈを倒れにくくすることができ、毛髪Ｈを所望の刈り高さに切断可能にすることができる。
【図面の簡単な説明】
【００４６】
【図１】（ａ）は本発明の第１実施形態に係るバリカンの一例を示す側面図、（ｂ）は同バリカンの平面図、（ｃ）は同バリカンの側断面図。
【図２】上記バリカンの刃ブロックを示す斜視図。
【図３】上記刃ブロックの分解斜視図。
【図４】（ａ）は上記刃ブロックの平面図、（ｂ）は切替レバーが起立状態であるときの同刃ブロックを示す平面図。
【図５】（ａ）は図４（ａ）のＡ−Ａ線断面図、（ｂ）は（ａ）の部分拡大図。
【図６】（ａ）は上記刃ブロックの可動刃刃体を示す平面図、（ｂ）は同刃ブロックの先端部近傍部位を示す斜視図。
【図７】（ａ）は図４（ａ）のＢ−Ｂ線断面図、（ｂ）は図４（ｂ）のＣ−Ｃ線断面図。
【図８】上記バリカンの使用時における刃ブロックの先端部近傍部位を示す側断面図。
【図９】上記実施形態の一変形例に係る刃ブロックの先端部近傍部位を示す部分断面図。
【図１０】（ａ）は上記実施形態の別の変形例に係る刃ブロックの固定刃刃体を示す平面図、（ｂ）は（ａ）の一変形例に係る固定刃刃体を示す平面図、（ｃ）は（ａ）の別の変形例に係る固定刃刃体を示す平面図。
【図１１】本発明の第２実施形態に係るバリカンの刃ブロックの先端部近傍部位における断面の部分拡大図。
【図１２】上記刃ブロックの先端部近傍部位の側断面図。
【図１３】（ａ）は第２実施形態の一変形例に係る刃ブロックの先端部近傍部位を示す斜視図、（ｂ）は切替レバーが起立状態であるときの同刃ブロックの先端部近傍部位を示す斜視図。
【図１４】（ａ）は従来のバリカンの刃ブロックの一例を示す平面図、（ｂ）は（ａ）のＡ−Ａ線における断面の部分拡大図。
【図１５】上記刃ブロックの先端部近傍部位を示す斜視図。
【図１６】上記バリカンの使用時における刃ブロックの先端部近傍部位を示す側断面図。
【符号の説明】
【００４７】
１  バリカン
１２，２２，１２２  固定刃
１２ａ，２２ａ，１１２ａ，１２２ａ，２１２ａ，３１２ａ，４１２ａ  固定刃刃体（固定刃の刃体）
１２ｂ，２２ｂ，２２ｃ，１１２ｂ，１２２ｂ，１２２ｃ，２１２ｂ，３１２ｂ，４１２ｂ  リブ
１３  可動刃
１３ａ  可動刃刃体（可動刃の刃体）
Ｈ  毛髪
【図１】
2010115315.tif 000003
【図２】
2010115315.tif 000004
【図３】
2010115315.tif 000005
【図４】
2010115315.tif 000006
【図５】
2010115315.tif 000007
【図６】
2010115315.tif 000008
【図７】
2010115315.tif 000009
【図８】
2010115315.tif 000010
【図９】
2010115315.tif 000011
【図１０】
2010115315.tif 000012
【図１１】
2010115315.tif 000013
【図１２】
2010115315.tif 000014
【図１３】
2010115315.tif 000015
【図１４】
2010115315.tif 000016
【図１５】
2010115315.tif 000017
【図１６】
2010115315.tif 000018